(57)【特許請求の範囲】
【請求項１】
フレーム化された形式で伝送されてきたＭクロック数分（Ｍ：正整数）の第１のデータから当該第１のデータ中のＮクロック数分（Ｎ：正整数、但しＮ＜Ｍ）の第２のデータを取り出すクロック信号を再生するために、前記第１のデータに対する前記第２のデータの割合（Ｎ／Ｍ）のイネーブル期間と、ディセーブル期間とを交互に生成して成るクロック再生用信号を生成し、前記イネーブル期間中に前記第１のデータから当該第１のデータに予め挿入される特定データを検出した際に、当該イネーブル期間中にディセーブル期間を追加する処理を行うクロック再生用信号生成方法において、
前記クロック再生用信号に、前記イネーブル期間及び前記ディセーブル期間の位相を示し、且つ前記第１のデータに含まれるクロック信号に対応する位相情報を持たせ、
前記イネーブル期間中にディセーブル期間を追加する処理として、前記特定データの検出を契機として、前記位相情報をもとに前記イネーブル期間の間のディセーブル期間に相当する位相を求め、この求めた位相分だけ、前記特定データの検出後に生成されるディセーブル期間の位相を進める処理を行う、
ことを特徴とするクロック再生用信号生成方法。
【請求項２】
前記イネーブル期間中に前記特定データを複数検出した場合、これら特定データの検出の各々を契機とし、これら契機毎に、前記位相情報をもとに前記イネーブル期間の間のディセーブル期間に相当する位相を求め、この求めた位相分だけ、前記特定データの検出後に順次生成されるディセーブル期間のうち１つのディセーブル期間の位相を進める処理を行う、ことを特徴とする請求項１に記載のクロック再生用信号生成方法。
【請求項３】
請求項１又は２に記載のクロック再生用信号生成方法により生成されるイネーブル期間及びディセーブル期間を交互に有するクロック再生用信号を、位相同期ループ処理の位相比較対象として用いることによりクロック信号を発振し、この発振されたクロック信号を前記クロック再生用信号との位相比較対象としても用いる位相同期ループ回路、を備えることを特徴とするクロック再生回路。
【発明の詳細な説明】
【技術分野】
【０００１】
本発明は、光伝送システムにおいて、複数階層のフレームで多段にフレーム化され、階層毎にスタッフ処理が必要な高速伝送信号（例えば、ＯＴＵ３：４３Ｇｂｐｓ）の処理において、クライアントデータを取り出すデマッピング処理のクロック再生に必要なイネーブル期間及びディセーブル期間を交互に生成して成るクロック再生用信号を生成するクロック再生用信号生成方法及びクロック再生回路に関する。
【背景技術】
【０００２】
現在、光伝送システムにおいては、例えば特許文献１に記載されているように、時分割多重方式が採用されており、ディジタル信号を経済的に目的地へ伝送するために、複数の低速ディジタル信号を時分割多重して１つの高速ディジタル信号（高速伝送信号ともいう）を形成し、この高速伝送信号を光ファイバで伝送することが行われている。また、この種の伝送では、複数階層のフレームで多段にフレーム化し、階層毎に必要に応じて下記のようにスタッフ処理が行われている。
【０００３】
複数の低速ディジタル信号を時分割多重するために、スタッフ多重方式等により各低速ディジタル信号を多重している。スタッフ多重方式では、送信側でクライアントデータである低速ディジタル信号を所定周波数のクロック信号に応じたフレーム形式にマッピングする。このマッピングの際に、各低速ディジタル信号に情報成分の無いスタッフパルスを挿入するスタッフ処理を行う。受信側でフレーム形式の信号をデマッピングしてクライアントデータを復元し、この復元の際にスタッフパルスを除去するデスタッフ処理を行うようになっている。
【０００４】
また、複数階層のフレームで多段にフレーム化された形式で伝送されてきたＭクロック数分のラインデータから当該ラインデータ中のＮクロック数分のクライアントデータを取り出すデマッピング処理を行う場合、ラインデータからクロック信号を再生し、この再生クロック信号によりラインデータ中のクライアントデータをバッファメモリに書き込む。この書き込まれたクライアントデータを、再生クロック信号に同期させた発振器の発振クロック信号により読み出して復元するようになっている。但し、Ｍクロック数及びＮクロック数におけるＭとＮは、正の整数であり、Ｎ＜Ｍの関係となっている。
【０００５】
更に、デマッピングの際にラインデータから再生クロック信号を再生する場合、Ｍクロック数分のラインデータに対するＮクロック数分のクライアントデータの割合（Ｎ／Ｍ）のイネーブル期間と、ディセーブル期間とを交互に生成して成るクロック再生用信号を生成する必要がある。図１において、そのクロック再生用信号ＥＤは、クロック再生回路２０に入力することによって、再生クロック信号ＣＫを得ることが可能となっている。
【０００６】
クロック再生回路２０は、位相同期ループ回路としての位相比較回路２２、ＬＰＦ（ローパスフィルタ）２３、及びＶＣＯ（電圧制御発振器）２４とを備えて構成されている。クロック再生用信号ＥＤは、クロック再生回路２０の位相比較回路２２に入力され、位相比較回路２２において、クロック再生用信号ＥＤと、フィードバックされた再生クロック信号ＣＫとの位相が比較され、この比較結果から得られる差分信号がＬＰＦ２３へ出力される。
【０００７】
更に、差分信号がＬＰＦ２３で濾波されて得られる電圧信号がＶＣＯ２４へ供給され、この電圧供給に応じた周波数の再生クロック信号ＣＫが出力される。この再生クロック信号ＣＫによってＭクロック数分のラインデータ中のＮクロック数分のクライアントデータがバッファメモリに書き込まれる。更に、バッファメモリに書き込まれたクライアントデータが、再生クロック信号ＣＫに同期する発振器の発振クロック信号によって読み出されて復元される。
【０００８】
このようにデマッピング処理が行われる際に、ラインデータ中にスタッフパルスが挿入されている場合はデスタッフ処理も行われる。このデスタッフ処理では、複数階層のラインデータに挿入されたスタッフパルスを検出するデスタッフ検出時に、スタッフパルスを除去するために、換言すればスタッフパルスがバッファメモリに書き込まれないようにするために、クロック再生用信号ＥＤにディセーブル期間を追加するようになっている。
【０００９】
この追加処理を、図２に示すタイミングチャートを参照して説明する。図２（ａ）は１周期が「０，１，２，３，４」の周期タイミング値で順次繰り返されるイネーブル生成周期ＥＣを示し、（ｂ）はデスタッフ処理におけるスタッフパルス未検出時のイネーブル期間ＥＮ及びディセーブル期間Ｄを交互に生成して成るクロック再生用信号ＥＤ１、（ｃ）はデスタッフ処理におけるスタッフパルス検出時のイネーブル期間ＥＮ及びディセーブル期間Ｄを交互に生成して成るクロック再生用信号ＥＤ２を示す。但し、周期タイミングは、ラインデータから再生される１クロックに対応している。
【００１０】
即ち、スタッフパルス未検出時には、（ｂ）に示すように、５クロック毎に周期タイミング値が「０」となる１クロック数分の「Ｌ」レベル（以下、「Ｌ」と略す）のディセーブル期間Ｄが生成され、その他の周期タイミング値「１，２，３，４」の４クロック数分で「Ｈ」レベル（以下、「Ｈ」と略す）のイネーブル期間ＥＮが生成される。
【００１１】
一方、スタッフパルス検出時には、（ｃ）に示すように、例えば時刻ｔ１０でスタッフパルスが検出され、この検出に応じて、時刻ｔ１０〜ｔ１１間の１クロック数分の周期タイミング「４」の部分でディセーブル期間Ｄが生成されて追加される。
【００１２】
また、複数階層の多段フレームの場合は、図示せぬ分周カウンタを用い、図３（ａ）のイネーブル生成周期ＥＣの周期タイミング値が「１，２，３，４」で、且つ（ｃ）のクロック再生用信号ＥＤ２が「Ｈ」の時に、（ｄ）に示すように分周カウンタをカウント値ＣＴが「０，１，２」の順で繰り返されるようにカウント動作させる。このカウント値ＣＴが「１，２」の時に、（ｅ）に示すように「Ｈ」となるイネーブル区間ＥＮを生成し、これによってクロック再生用信号ＥＤ３を生成する。
【特許文献１】特許３５２９７１３号公報
【発明の開示】
【発明が解決しようとする課題】
【００１３】
上述したように、図２（ｃ）に示したクロック再生用信号ＥＤ２のように、ディセーブル期間Ｄを追加した場合、時刻ｔ１０〜ｔ１１に示すように、イネーブル期間ＥＮの「Ｈ」の生成期間に「Ｌ」のディセーブル期間Ｄが上書き状態で追加される。このため、時刻ｔ７〜ｔ１０で示すようにイネーブル期間ＥＮの生成期間の長さが３クロック数分となり、また、時刻ｔ１０〜ｔ１１に示すようにディセーブル期間Ｄの長さが２クロック数分となってしまう。このため、イネーブル期間ＥＮの出力周期に偏りが生じ、再生クロック信号ＣＫに大きなジッタが生じるという課題があった。
【００１４】
更に、複数階層の多段フレームの場合に、図３（ｅ）に示したクロック再生用信号ＥＤ３のように、イネーブル期間ＥＮを生成する方法では、イネーブル期間ＥＮの生成期間の長さが時刻ｔ３〜ｔ５で示すように２クロック数分又は時刻ｔ１５〜ｔ１６で示すように１クロック数分となり、また、ディセーブル期間Ｄの長さが時刻ｔ１４〜ｔ１５で示すように1クロック数分、時刻ｔ５〜ｔ７で示すように２クロック数分、又は時刻ｔ９〜ｔ１２で示すように３クロック数分となって、上記のケースよりもより長さにバラツキが生じる。このため、イネーブル期間ＥＮの出力周期の偏りがより悪化し、再生クロック信号ＣＫに、より大きなジッタが生じるという課題があった。
【００１５】
前記課題を解決するために、本発明は、Ｍクロック数分のラインデータに対するＮクロック数分のクライアントデータの割合（Ｎ／Ｍ）のイネーブル期間と、ディセーブル期間とを交互に生成して成るクロック再生用信号を生成する際に、イネーブル期間の出力周期の偏りを無くすことによって、再生クロック信号に発生するジッタを少なくすることを目的とする。
【課題を解決するための手段】
【００１６】
上記目的を達成するために、Ｍクロック数分（Ｍ：正整数）の第１のデータから当該第１のデータ中のＮクロック数分（Ｎ：正整数、但しＮ＜Ｍ）の第２のデータを取り出すクロック信号を再生するために、第１のデータに対する第２のデータの割合（Ｎ／Ｍ）のイネーブル期間と、ディセーブル期間とを交互に生成して成るクロック再生用信号を生成し、イネーブル期間中に第１のデータから当該第１のデータに予め挿入される特定データを検出した際に、当該イネーブル期間中にディセーブル期間を追加する処理を行うクロック再生用信号生成方法を次のようにした。イネーブル期間中にディセーブル期間を追加する処理として、実際にディセーブル期間を追加することは行わず、所定の位相分だけ、特定データの検出後に生成されるディセーブル期間の位相を進めて生成する処理を行うこととした。
【００１７】
具体的には、フレーム化された形式で伝送されてきたＭクロック数分（Ｍ：正整数）の第１のデータから当該第１のデータ中のＮクロック数分（Ｎ：正整数、但しＮ＜Ｍ）の第２のデータを取り出すクロック信号を再生するために、前記第１のデータに対する前記第２のデータの割合（Ｎ／Ｍ）のイネーブル期間と、ディセーブル期間とを交互に生成して成るクロック再生用信号を生成し、前記イネーブル期間中に前記第１のデータから当該第１のデータに予め挿入される特定データを検出した際に、当該イネーブル期間中にディセーブル期間を追加する処理を行うクロック再生用信号生成方法において、前記クロック再生用信号に、前記イネーブル期間及び前記ディセーブル期間の位相を示し、且つ前記第１のデータに含まれるクロック信号に対応する位相情報を持たせ、前記イネーブル期間中にディセーブル期間を追加する処理として、前記特定データの検出を契機として、前記位相情報をもとに前記イネーブル期間の間のディセーブル期間に相当する位相を求め、この求めた位相分だけ、前記特定データの検出後に生成されるディセーブル期間の位相を進める処理を行う、ことを特徴とするクロック再生用信号生成方法である。
【００１８】
この方法によれば、Ｍクロック数分の第１のデータに対するＮクロック数分の第２のデータの割合（Ｎ／Ｍ）のイネーブル期間と、ディセーブル期間とを交互に生成して成るクロック再生用信号を生成する際に、イネーブル期間の出力周期の偏りを小さくすることができる。従って、そのイネーブル期間を用いて生成する再生クロック信号に発生するジッタが少なくなるようにすることができる。
【００１９】
本発明のクロック再生用信号生成方法は、前記イネーブル期間中に前記特定データを複数検出した場合、これら特定データの検出の各々を契機とし、これら契機毎に、前記位相情報をもとに前記イネーブル期間の間のディセーブル期間に相当する位相を求め、この求めた位相分だけ、前記特定データの検出後に順次生成されるディセーブル期間のうち１つのディセーブル期間の位相を進める処理を行う、ことが望ましい。
【００２０】
この方法によれば、イネーブル期間の１周期の生成期間中に特定データが複数挿入されている場合でも、イネーブル期間の出力周期の偏りを無くすことができるので、再生クロック信号ＣＫに発生するジッタが少なくなるようにすることができる。
【００２１】
また、具体的には、請求項１又は２に記載のクロック再生用信号生成方法により生成されるイネーブル期間及びディセーブル期間を交互に有するクロック再生用信号を、位相同期ループ処理の位相比較対象として用いることによりクロック信号を発振し、この発振されたクロック信号を前記クロック再生用信号との位相比較対象としても用いる位相同期ループ回路、を備えることを特徴とするクロック再生回路である。
【００２２】
この構成によれば、一定周期のイネーブル期間を用いて位相同期ループ処理が行われるので、ジッタの少ない再生クロック信号を得ることができる。
【発明の効果】
【００２３】
本発明によれば、イネーブル期間の１周期の生成期間中に特定データが複数挿入されている場合でも、イネーブル期間の出力周期の偏りを無くすことができるので、再生クロック信号ＣＫに発生するジッタが少なくなるようにすることができるクロック再生用信号生成方法を提供することができる。
【発明を実施するための最良の形態】
【００２４】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２５】
図４は、本発明の実施形態によるクロック再生用信号生成方法の処理手順を説明するためのフローチャートである。
【００２６】
本実施形態のクロック再生用信号生成方法は、前述したように、複数階層のフレームで多段にフレーム化された形式で伝送されてきたＭクロック数分（Ｍ：正整数）の第１のデータとしてのラインデータから当該ラインデータ中のＮクロック数分（Ｎ：正整数、但しＮ＜Ｍ）の第２のデータとしてのクライアントデータを取り出すデマッピング処理を行う場合に適用されるものとする。
【００２７】
即ち、デマッピングの際にラインデータから再生クロック信号を再生する場合に、Ｍクロック数分のラインデータに対するＮクロック数分のクライアントデータの割合（Ｎ／Ｍ）のイネーブル期間ＥＮと、ディセーブル期間Ｄとを交互に生成して成るクロック再生用信号ＥＤを生成イネーブル期間ＥＮを生成するものである。このクロック再生用信号ＥＤを、図１に示したクロック再生回路２０に入力することにより再生クロック信号ＣＫが得られるようになっている。
【００２８】
図４に示すステップＳ１において、図５（ａ）に示すように、信号の位相情報を持たせた「Ｈ」のイネーブル期間ＥＮを「Ｌ」のディセーブル期間Ｄ１〜Ｄ４を介在して一定周期で生成することによりクロック再生用信号ＥＤを生成する。但し、位相情報は、ラインデータ中のクロックタイミングである時刻ｔ１〜ｔ２１に対応する信号位相の情報であるとする。従って、各ディセーブル期間Ｄ１〜Ｄ４は各々１クロック数分の期間出力され、１周期のイネーブル期間ＥＮは、４クロック数分の「Ｈ」の期間出力される。つまり、５クロック毎に１クロック数分のディセーブル期間Ｄを介して４クロック数分のイネーブル期間ＥＮの出力が繰り返されている。
【００２９】
次に、ステップＳ２において、デスタッフ検出処理時にラインデータに挿入された特定データとしてのスタッフパルスを検出したか否かを判断する。この結果、未検出の場合は、ステップＳ３において、上記ステップＳ１のディセーブル期間Ｄ１〜Ｄ４を介在した一定周期のイネーブル期間ＥＮを有するクロック再生用信号ＥＤをクロック再生回路２０へ出力する。これによってクロック再生回路２０から再生クロック信号ＣＫが得られる。
【００３０】
一方、上記ステップＳ２でスタッフパルスを検出した場合、ステップＳ４において、検出されたスタッフパルス位置へのディセーブル期間の追加処理として、イネーブル期間の間のディセーブル期間に相当する位相分だけ、次の生成対象のディセーブル期間を進めて生成する処理を行う。
【００３１】
例えば、図５（ｂ）に示すように、イネーブル期間ＥＮ間のディセーブル期間Ｄ１の発生後に、時刻ｔ８〜ｔ９間の符号ｍ０で示す検出位置でスタッフパルスが検出されたとする。この場合、従来であれば検出位置ｍ０に１クロック数分のディセーブル期間が追加されていた。或いは、イネーブル期間ＥＮの微調整であれば、１クロック幅の１／５の幅を有する１／５ディセーブル期間が追加されていた。
【００３２】
しかし、本実施形態では、検出位置ｍ０の後で生成されるディセーブル期間Ｄ２を、位相情報を参照して矢印Ｙ０で示すように、イネーブル期間ＥＮの間のディセーブル期間（本例では１クロック数分の期間）Ｄ１に相当する位相分だけ進めて生成する。つまり、（ｂ）の時刻ｔ１０〜ｔ１１間のディセーブル期間Ｄ２が、（ｃ）に示すように、時刻ｔ９〜ｔ１０の位置に進む。この場合、ディセーブル期間Ｄ２が進むので、ディセーブル期間Ｄ２以降のイネーブル期間ＥＮ及びディセーブル期間Ｄ３，Ｄ４が全体的に１クロック数の位相分だけ進んで生成される。この生成後に、上記ステップＳ２へ戻って同様に処理を継続するようになっている。
【００３３】
更に、ディセーブル期間を所定位相分進めて生成する処理について、図６を参照して詳細に説明する。但し、本例では（ａ）のクロック再生用信号ＥＤに示すように、４クロック数分のイネーブル期間ＥＮにおいて、スタッフパルスが５回検出された際に「Ｌ」パルスｄ１，ｄ２，ｄ３，ｄ４，ｄ５で示すように、１／５ディセーブル期間を従来通り単純に追加した場合に対応させてある。
【００３４】
まず、（ｂ）に示すように、イネーブル期間ＥＮにおける時刻ｔ３〜ｔ４間の検出位置ｍ１でスタッフパルスを検出したとする。但し、検出位置ｍ１は、「Ｌ」パルスｄ１の位置に対応しているものとする。
【００３５】
この場合、検出位置ｍ１の後で生成されるディセーブル期間Ｄ１１を、位相情報を参照して矢印Ｙ１で示すように、イネーブル期間ＥＮの間の１クロック数分のディセーブル期間に相当する位相分だけ進めて生成する。この処理によって、（ｂ）の時刻ｔ５〜ｔ６間のディセーブル期間Ｄ１１が、（ｃ）に示すように、時刻ｔ４〜ｔ５の位置に進む。このディセーブル期間Ｄ１１に続いて生成される信号も同様に１クロック位相分だけ進む方向にシフトすることになる。
【００３６】
次に、（ｃ）に示すように、ディセーブル期間Ｄ１１の生成後に、時刻ｔ６〜ｔ７間の検出位置ｍ２でスタッフパルスを検出したとする。この場合、検出位置ｍ２の後で生成されるディセーブル期間Ｄ１２を、位相情報を参照して矢印Ｙ２で示すように、１クロック数分のディセーブル期間Ｄ１１に相当する位相分だけ進めて生成する。この処理によって、（ｃ）の時刻ｔ９〜ｔ１０間のディセーブル期間Ｄ１２が、（ｄ）に示すように、時刻ｔ８〜ｔ９の位置に進む。このディセーブル期間Ｄ１２に続いて生成される信号も同様に１クロック位相分だけ進む方向にシフトすることになる。
【００３７】
次に、（ｄ）に示すように、ディセーブル期間Ｄ１２の生成後で且つ次のディセーブル期間Ｄ１３の生成前において、時刻ｔ９〜ｔ１０間の検出位置ｍ３及び時刻ｔ１２〜ｔ１３間の検出位置ｍ４の双方でスタッフパルスを検出したとする。
【００３８】
この場合、１イネーブル期間を挟む２ディセーブル期間間で２つの検出位置ｍ３，ｍ４でスタッフパルスが検出されているので、最初に、時系列上早い方の検出位置ｍ３でのスタッフパルス検出を契機にディセーブル期間の位相を進めて生成し、次に遅い方の検出位置ｍ４でのスタッフパルス検出を契機にディセーブル期間の位相を進めて生成する処理を行う。
【００３９】
即ち、最初に双方の検出位置ｍ３及びｍ４の後で生成されるディセーブル期間Ｄ１３を、検出位置ｍ３でのスタッフパルス検出を契機に位相情報を参照して矢印Ｙ３で示すように、１クロック数分のディセーブル期間Ｄ１２に相当する位相分だけ進めて生成する。この処理によって、（ｄ）の時刻ｔ１３〜ｔ１４間のディセーブル期間Ｄ１３が、（ｅ）に示すように、時刻ｔ１２〜ｔ１３の位置に進む。このディセーブル期間Ｄ１３に続いて生成される信号も同様に１クロック位相分だけ進む方向にシフトすることになる。
【００４０】
次に、（ｅ）に示すように、ディセーブル期間Ｄ１３の生成後に生成されるディセーブル期間Ｄ１４を、検出位置ｍ４でのスタッフパルス検出を契機に位相情報を参照して矢印Ｙ４で示すように、１クロック数分のディセーブル期間Ｄ１３に相当する位相分だけ進めて生成する。この処理によって、（ｅ）の時刻ｔ１７〜ｔ１８間のディセーブル期間Ｄ１４が、（ｆ）に示すように、時刻ｔ１６〜ｔ１７の位置に進む。このディセーブル期間Ｄ１４に続いて生成される信号も同様に１クロック位相分だけ進む方向にシフトすることになる。
【００４１】
ところで、（ｅ）に示すディセーブル期間Ｄ１３の生成後には、ディセーブル期間Ｄ１４の生成前に時刻ｔ１４〜ｔ１５間の検出位置ｍ５でスタッフパルスが検出されている。しかし、この場合は、既にディセーブル期間Ｄ１４を進めて生成するための契機となるスタッフパルスが検出位置ｍ４で検出されているので、検出位置ｍ５でのスタッフパルス検出を契機に位相を進めて生成する対象となるディセーブル期間は、（ｆ）に示すディセーブル期間Ｄ１４の次のディセーブル期間Ｄ１５となる。
【００４２】
即ち、（ｆ）に示すように、ディセーブル期間Ｄ１５を、検出位置ｍ５でのスタッフパルス検出を契機に位相情報を参照して矢印Ｙ５で示すように、１クロック数分のディセーブル期間Ｄ１４に相当する位相分だけ進めて生成する。この処理によって、ディセーブル期間Ｄ１５が、（ｇ）に示すように時刻ｔ２０〜ｔ２１の位置に進む。この処理によって、１クロック数分のディセーブル期間Ｄ１１〜Ｄ１５を介する３クロック数分のイネーブル期間ＥＮが繰り返し生成される。
【００４３】
このように生成された（ｇ）に示すクロック再生用信号ＥＤがクロック再生回路２０へ出力されることによって再生クロック信号ＣＫが得られる。
【００４４】
以上説明したように、本実施形態のクロック再生用信号生成方法によれば、図５（ｂ）に符号ｍ０で示すラインデータ中のスタッフパルス検出を契機に、イネーブル期間の位相情報を参照してイネーブル期間ＥＮの間のディセーブル期間（例えば１クロック数分の期間）Ｄ１に相当する位相分だけ、ディセーブル期間Ｄ２の位相を進めて生成するようにした。
【００４５】
これによって、Ｍクロック数分のラインデータに対するＮクロック数分のクライアントデータの割合（Ｎ／Ｍ）のイネーブル期間ＥＮと、ディセーブル期間Ｄ１〜Ｄ４とを交互に生成して成るクロック再生用信号ＥＤを生成する際に、図５（ｃ）に示すように、イネーブル期間ＥＮの出力周期の偏りを略無くすことができる。これによって再生クロック信号ＣＫに発生するジッタを小さくすることができる。
【００４６】
従来であれば、図５（ｂ）に示すスタッフパルスの検出位置ｍ０にディセーブル期間を上書き状態に挿入するようにしていたので、イネーブル期間の出力周期に偏りが生じ、再生クロック信号ＣＫに大きなジッタが発生していた。
【００４７】
更に、本実施形態では図６（ｄ）に示すように、ディセーブル期間Ｄ１２の生成後で且つ次のディセーブル期間Ｄ１３の生成前において、２つの検出位置ｍ３及びｍ４でスタッフパルスを検出した場合、最初に、時系列上早い方の検出位置ｍ３でのスタッフパルス検出を契機に矢印Ｙ３で示すように、次の生成対象のディセーブル期間Ｄ１３の位相を進めて生成し、次に遅い方の検出位置ｍ４でのスタッフパルス検出を契機に矢印Ｙ４で示すように、その次の生成対象のディセーブル期間Ｄ１４の位相を進めて生成する処理を行うようにした。
【００４８】
この処理によって、図６（ｇ）に示すように、イネーブル期間ＥＮの出力周期の偏りを無くすことができるので、再生クロック信号ＣＫに発生するジッタを小さくすることができる。（ｇ）の例では、時刻ｔ１〜ｔ２０の２０クロック中、１５クロック数分のイネーブル期間ＥＮがある。
【００４９】
このイネーブル期間ＥＮに対応する図６（ａ）に示した従来方法で生成されるイネーブル期間ＥＮにおいては、スタッフパルスの検出位置に単純に１／５ディセーブル期間ｄ１〜ｄ５が追加されている。この場合も、イネーブル期間ＥＮは合計すると、時刻ｔ１〜ｔ２０の２０クロック中、１５クロック数分となっており、（ｇ）に示すイネーブル期間ＥＮの場合と同様であることがわかる。
【００５０】
従って、本実施形態でのクロック再生用信号生成方法では、一定周期のイネーブル期間ＥＮが生成できていることがわかる。つまり、イネーブル期間ＥＮを、図１に示したクロック再生回路２０の位相比較回路２２に入力すれば、ジッタの小さい再生クロック信号ＣＫを得ることができる。
【産業上の利用可能性】
【００５１】
本発明のクロック再生用信号生成方法は、１波長あたり４０Ｇｂｉｔ／ｓの情報転送が可能な４３Ｇｂｉｔ／ｓチャネルベースの波長多重光ネットワーク等に適用することができる。
【図面の簡単な説明】
【００５２】
【図１】イネーブル期間を用いるクロック再生回路の構成を示すブロック図である。
【図２】従来のクロック再生用信号生成方法によるイネーブル期間及びディセーブル期間を交互に生成して成るクロック再生用信号の生成状態を示す第１のタイミングチャートである。
【図３】従来のクロック再生用信号生成方法によるイネーブル期間及びディセーブル期間を交互に生成して成るクロック再生用信号の生成状態を示す第２のタイミングチャートである。
【図４】本発明の実施形態によるクロック再生用信号生成方法の構成を示すブロック図である。
【図５】本発明の実施形態のクロック再生用信号生成方法によるイネーブル期間及びディセーブル期間を交互に生成して成るクロック再生用信号の生成状態を示す第１のタイミングチャートである。
【図６】本発明の実施形態のクロック再生用信号生成方法によるイネーブル期間及びディセーブル期間を交互に生成して成るクロック再生用信号の生成状態を示す第２のタイミングチャートである。
【符号の説明】
【００５３】
２０：クロック再生回路
２２：位相比較回路
２３：ＬＰＦ
２４：ＶＣＯ
ＣＫ：再生クロック信号
ＣＴ：カウント値
Ｄ，Ｄ１〜Ｄ５：ディセーブル期間
ｄ１〜ｄ５：１／５ディセーブル期間
ＥＣ：イネーブル期間の出力周期
ＥＮ：イネーブル期間
ＥＤ，ＥＤ１〜ＥＤ３，ＥＤ２０〜ＥＤ２６：クロック再生用信号
ｍ０〜ｍ５：スタッフパルス検出位置
【図１】
0004927033.tif 000002
【図２】
0004927033.tif 000003
【図３】
0004927033.tif 000004
【図４】
0004927033.tif 000005
【図５】
0004927033.tif 000006
【図６】
0004927033.tif 000007